(57)【要約】【課題】ホルダー部材に対する回転カムの軸芯が安定して回転駆動されるように構成し、回転駆動機構の円滑な動作を保証することができるシャープペンシルを提供すること。【解決手段】筆記芯が受ける筆記圧に基づいて回転カム２３を回転駆動させる回転駆動機構２１を備え、前記回転カム２３の回転運動が前記筆記芯に伝達するように構成される。  回転駆動機構２１には、回転カム２３を回転可能に支持するホルダー部材２２が具備され、これには漏斗状の傾斜面Ｆｕを伴って第１固定カム２２ｃが形成され、また軸方向に対して鈍角αになされた第２固定カム２２ｄが形成されている。これら第１および第２の固定カムに交互に噛み合う回転カム２３に形成された上側カム２３ａのカム面および下側カム２３ｂのカムは、円錐状の傾斜面Ｃｓに沿って形成されている。【選択図】図１７
2014166752.tif 000002
【特許請求の範囲】
【請求項１】
筆記芯が受ける筆記圧に基づいて回転カムを回転駆動させる回転駆動機構を備え、前記回転カムの回転運動を前記筆記芯に伝達するように構成したシャープペンシルであって、
前記回転駆動機構には、軸方向に直交する上下にカム面を形成した回転カムと、前記回転カムの上下のカム面を挟むように対峙して配置された第１固定カムおよび第２固定カムが具備され、
前記第１固定カムもしくは第２固定カムのうちの少なくとも一方は、カム面が漏斗状に成形された傾斜面上に形成され、前記漏斗状に成形された傾斜面上に形成されたカム面に噛み合う前記回転カムのカム面は、円錐状に成形された傾斜面上に形成されていることを特徴とするシャープペンシル。
【請求項２】
前記回転駆動機構は、前記回転カムを回転可能にかつ軸方向に移動可能に支持し、前記回転カムは前記筆記芯が受ける筆記圧に基づいて軸方向に後退し、前記筆記圧の解除により軸方向に前進する動作がなされ、
前記回転カムの上下のカム面は、それぞれ円環状の複数のカム面により形成されると共に、前記第１固定カムおよび第２固定カムは、それぞれ円環状の複数のカム面により形成されていることを特徴とする請求項１に記載されたシャープペンシル。
【請求項３】
前記第１固定カムおよび第２固定カムのカム面は、いずれも漏斗状に成形された傾斜面上に形成され、前記回転カムの上下のカム面は、いずれも円錐状に成形された傾斜面上に形成されていることを特徴とする請求項２に記載されたシャープペンシル。
【請求項４】
前記第１固定カムは円筒状の第１カム形成部材に形成され、前記第２固定カムは円筒状の第２カム形成部材に形成され、前記第１カム形成部材と第２カム形成部材とが、軸方向で接合されていることを特徴とする請求項１ないし請求項３のいずれか１項に記載されたシャープペンシル。
【請求項５】
前記第１固定カムおよび第２固定カムは、シャープペンシルの外郭を構成する軸筒の前端部に配置された口先部材内に形成され、前記上下のカム面を備えた回転カムが、前記口先部材内に位置するスライダーに一体で成形されていることを特徴とする請求項１ないし請求項３のいずれか１項に記載されたシャープペンシル。
【請求項６】
前記第１固定カムは、口先部材の後端部に取り付けられたストッパーに形成され、前記第２固定カムは、口先部材内に形成され、前記上下のカム面を備えた回転カムが、前記口先部材内に収容されていることを特徴とする請求項１ないし請求項３のいずれか１項に記載されたシャープペンシル。
【請求項７】
筆記芯が受ける筆記圧に基づいて回転カムを回転駆動させる回転駆動機構を備え、前記回転カムの回転運動を前記筆記芯に伝達するように構成したシャープペンシルであって、
前記回転駆動機構には、前記回転カムを回転可能にかつ軸方向に移動可能に支持するホルダー部材が具備されると共に、前記回転カムは前記筆記芯が受ける筆記圧に基づいて軸方向に後退し、前記筆記圧の解除により軸方向に前進する動作がなされ、かつ前記回転カムの軸方向に直交する上下面には、それぞれ円環状の複数のカム面が形成されており、
前記ホルダー部材に一体で成形され、軸方向に長い弾性部材の基端部および先端部には、前記回転カムの上下のカム面を挟むように対峙して配置された第１固定カムおよび第２固定カムが形成され、かつ前記弾性部材の先端部に形成された前記第２固定カムは、前記弾性部材の長手方向の先端部からホルダー部材の軸芯に向かって鈍角に屈曲した傾斜面上に成形され、前記第２固定カムのカム面に噛み合う前記回転カムの下側カムのカム面は、円錐状に成形された傾斜面上に形成されていることを特徴とするシャープペンシル。
【請求項８】
前記ホルダー部材における弾性部材の基端部には、前記回転カムを回転可能にかつ軸方向に移動可能に支持する円筒部が形成され、前記円筒部には円環状に連続した多数のカム面による前記第１固定カムが形成されると共に、前記第１固定カムのカム面は漏斗状に成形された傾斜面上に形成され、前記第１固定カムのカム面に噛み合う前記回転カムの上側カムのカム面は、円錐状に成形された傾斜面上に形成されていることを特徴とする請求項７に記載されたシャープペンシル。
【請求項９】
前記第２固定カムは、前記弾性部材の長手方向の先端部から前記軸芯に向かって鈍角に屈曲した傾斜面上に、二つのカム面が一つの稜線で交差することで１つの鋸歯状に成形されたカムが形成され、かつ前記稜線の延長線が前記軸芯に向かって形成されていることを特徴とする請求項７または請求項８に記載されたシャープペンシル。
【請求項１０】
前記弾性部材の長手方向の先端部から前記軸芯に向かって鈍角に屈曲した傾斜面と、前記弾性部材の長手方向の先端部に向かう線との角度をα１とし、前記第２固定カムにおけるカムの稜線と、前記弾性部材の長手方向の先端部に向かう線との角度をα２としたとき、α１＜α２の関係に前記第２固定カムが成形されていることを特徴とする請求項９に記載されたシャープペンシル。
【請求項１１】
前記弾性部材の外側面には、シャープペンシルの外郭を構成する軸筒の内周面の一部もしくは前記軸筒と前記ホルダー部材との間に配置された部材の内周面の一部に接する当接部が形成され、当該当接部によって前記弾性部材が前記軸芯から外側に向かって開く度合いを抑制するように構成したことを特徴とする請求項７ないし請求項１０のいずれか１項に記載されたシャープペンシル。
【請求項１２】
前記弾性部材の先端部には、テーパー面が形成され、前記軸筒の一部もしくは前記軸筒と前記ホルダー部材との間に配置された部材の一部が、前記テーパー面に軸方向に接することにより、前記弾性部材が軸芯から外側に向かって開く付勢力を与えたことを特徴とする請求項１１に記載されたシャープペンシル。
【請求項１３】
筆記芯が受ける筆記圧に基づいて回転カムを回転駆動させる回転駆動機構を備え、前記回転カムの回転運動を前記筆記芯に伝達するように構成したシャープペンシルであって、
前記回転駆動機構には、前記回転カムを回転可能にかつ軸方向に移動可能に支持するホルダー部材が具備されると共に、前記回転カムは前記筆記芯が受ける筆記圧に基づいて軸方向に後退し、前記筆記圧の解除により軸方向に前進する動作がなされ、かつ前記回転カムの軸方向に直交する上下面には、それぞれ円環状の複数のカム面が形成されており、
前記ホルダー部材に一体で成形され、軸方向に長い弾性部材の基端部および先端部には、前記回転カムの上下のカム面を挟むように対峙して配置された第１固定カムおよび第２固定カムが形成され、かつ前記ホルダー部材における弾性部材の基端部には、前記回転カムを回転可能にかつ軸方向に移動可能に支持する円筒部が形成され、前記円筒部には円環状の複数のカム面による前記第１固定カムが形成されると共に、前記第１固定カムのカム面は漏斗状に成形された傾斜面上に形成され、前記第１固定カムのカム面に噛み合う前記回転カムの上側カムのカム面は、円錐状に成形された傾斜面上に形成されていることを特徴とするシャープペンシル。
【請求項１４】
前記ホルダー部材には、当該ホルダー部材に支持された前記回転カムを軸方向に押し出すクッション部材が具備されると共に、前記クッション部材と前記回転カムとの間には、前記回転カムの軸方向の後端面に接して、前記回転カムとの間で滑り動作がなされる滑り部材が配置され、前記滑り部材は前記クッション部材に取り付けられていることを特徴とする請求項７ないし請求項１３のいずれか１項に記載されたシャープペンシル。
【請求項１５】
前記クッション部材は、前記ホルダー部材に対して二色成形により取り付けられ、前記滑り部材は前記クッション部材に対して二色成形により取り付けられていることを特徴とする請求項１４に記載されたシャープペンシル。
【発明の詳細な説明】
【技術分野】
【０００１】
この発明は、筆記圧を利用して筆記芯（替え芯）を回転させることができるシャープペンシルに関し、特に筆記芯を回転駆動させる回転駆動機構の改良に関する。
【背景技術】
【０００２】
シャープペンシルは周知のとおり、筆記の進行と共に筆記芯が偏減りするために、描線の太さが変化するという問題を抱えている。
そこで、本件出願人は筆記芯に加わる筆記圧を利用して、筆記芯を除々に一方向に回転させることができる回転駆動機構を備えたシャープペンシルについて先に提案をしており、これは特許文献１および２などに開示されている。
【０００３】
このシャープペンシルによると、軸筒を筆記面（紙面）に対して例えば４０〜８０度程度傾けた状態で筆記した場合、一画文字を書くたびごとに筆記芯が僅かに一方向に回転駆動されるので、筆記芯の先端部は常に円錐形状にとがった状態に保たれる。これにより、常にほぼ同一の線幅をもって筆記をすることが可能となる。
【０００４】
また、筆記芯の回転駆動機構を備えたシャープペンシルについては、他にも提案がなされている。例えば特許文献３に開示されたシャープペンシルにおいては、軸筒の前方に突出するスライダー内に、カム面を上下に円環状に連続して備えた回転カムが一体で形成されている。そして、スライダーの外側に位置する口先部材内に、前記回転カムの上下のカム面に交互に噛み合う第１と第２の固定カムを備えた構成が開示されている。
【０００５】
さらに特許文献４には、口先部材内に円環状に形成された第１カム面と、口先部材の後端部に取り付けられたストッパー部材に円環状に形成された第２カム面とを備えた構成が開示されている。そして、筆記芯を把持するチャックと共に回転するスリーブの側面には、軸方向に直交するように突出するカム突起が設けられ、このカム突起が前記第１カム面と第２カム面との間を、往復するように構成した芯回転機構が開示されている。
【先行技術文献】
【特許文献】
【０００６】
【特許文献１】特開２００９−１６０７３６号公報
【特許文献２】特開２０１０−２３２２９号公報
【特許文献３】特開２０１０−９５９５４号公報
【特許文献４】特開２０１０−１２０２０４号公報
【０００７】
特許文献１〜４に開示された筆記芯の回転駆動機構においては、いずれも筆記圧を受けて軸方向に移動する回転カムと、この回転カムの軸方向における上下のカム面を挟むようにして対峙する第１および第２の固定カムが具備されている。
そして、前記回転カムには、軸方向の上下両面にカム面がそれぞれ形成されており、また第１および第２の固定カムは、カム面が円環状に連続した状態で形成されている。
【０００８】
加えて、前記した筆記芯の回転駆動機構においては、回転カムの上下のカム面は、それぞれ軸方向に直交する面に平行となるように形成されている。また前記回転カムに噛み合う第１および第２の固定カムにおいても、円環状に連続したカム面がそれぞれ軸方向に直交する面に平行となるように形成されている。
【０００９】
ところで、前記した回転駆動機構における回転カムは、軸筒内において回転可能に支持されるために、回転カムを支持する部材との間に、多少のクリアランスを設ける必要がある。しかしながら前記したクリアランスの存在は、回転カムの軸芯にずれをもたらすために、回転駆動機構における各カム面の噛み合わせの精度を低下させる要因になる。
これは、回転駆動機構の円滑な回転駆動動作を保証することが困難になるという基本的な問題を抱えることになる。
【００１０】
一方、本件出願人が先に出願した特許文献１および２に示す筆記芯の回転駆動機構においては、回転カムと第１および第２の固定カムを形成するそれぞれの固定カム形成部材とによる３つの部品が組み合わされ、さらに前記回転カムを軸方向に付勢する別部品のスプリングなども組み合わせた構成にされている。この構成によると、第１と第２の固定カムの両者間に例えば凹凸状の位置決め機構を形成して、第１と第２の固定カムのカム面のピッチが周方向において特定な関係が確保できるようにするなどの対策が必要になる。
【００１１】
しかしながら、たとえ前記した対策を施したとしても、第１固定カムのカム面と前記位置決め機構との間の成形上のばらつき、第２固定カムのカム面と前記位置決め機構との間の成形上のばらつき、さらには前記した凹凸状の位置決め機構のクリアランスなどが相乗的に作用して、回転駆動機構における各カム面の噛み合わせの精度を確保することが難しい。またこれらの多数の各部品を組み合わせて回転駆動機構を構成するには、多くの組み立て工数が必要となる。
【００１２】
そこで、本件出願人は前記した問題点を解消することができる回転駆動機構を備えたシャープペンシルについて、先に特願２０１２−４０３９９および特願２０１２−４０４００として出願している。
これによれば、第１と第２の固定カムのカム構造の簡素化、ならびに部品点数の削減を達成することが可能であり、さらに回転駆動機構の組み立ての容易性も確保することができる。
【００１３】
本件出願人が先に出願したシャープペンシルにおける回転駆動機構は、回転カムを保持するホルダー部材に、第１と第２の固定カムを一体で成形すると共に、前記回転カムを軸方向に押し出すための軟質弾性素材によるクッション部材を、前記ホルダー部材に対して例えば二色成形により一体で形成した構成が採用されている。
【００１４】
前記した構成のホルダー部材を射出成型する場合、これに使用される金型は、離型時において軸方向に左右に割られるように設計されている。
この場合、左右の金型の合わせ目部分において、射出成型時に僅かなバリが発生する場合があり、このバリが前記回転カムに向かって突出するために、その先端部が回転カムに形成された鋸歯状のカム面に当たり、回転カムの正常な回転運動を妨げるという問題が発生し得る。
【００１５】
また、前記したように軸方向に左右に割られる金型を用いる場合には、鋸歯状のカム面として成形される前記第１と第２の固定カムは、金型からの離型が可能なように、いずれも金型の合わせ目部分に成形する必要が生ずる。
【発明の概要】
【発明が解決しようとする課題】
【００１６】
この発明は、筆記芯の回転駆動機構を備えたシャープペンシルにおける前記した問題点に着目してなされたものであり、回転駆動機構における前記した第１と第２の固定カムのカム面の形状および回転カムのカム面の形状にも工夫を加えることで、回転カムの軸芯が安定して回転駆動されるように構成し、回転駆動機構のより円滑な回転駆動動作を保証することができるシャープペンシルを提供することを課題とするものである。
また、回転駆動機構を構成するホルダー部材に成形される第１と第２の固定カムの形状に工夫を加えることで、射出成型に利用される金型が軸方向に離型できるように構成したシャープペンシルを提供することを課題とするものである。
【課題を解決するための手段】
【００１７】
前記した課題を解決するためになされたこの発明に係るシャープペンシルは、筆記芯が受ける筆記圧に基づいて回転カムを回転駆動させる回転駆動機構を備え、前記回転カムの回転運動を前記筆記芯に伝達するように構成したシャープペンシルであって、前記回転駆動機構には、軸方向に直交する上下にカム面を形成した回転カムと、前記回転カムの上下のカム面を挟むように対峙して配置された第１固定カムおよび第２固定カムが具備され、前記第１固定カムもしくは第２固定カムのうちの少なくとも一方は、カム面が漏斗状に成形された傾斜面上に形成され、前記漏斗状に成形された傾斜面上に形成されたカム面に噛み合う前記回転カムのカム面は、円錐状に成形された傾斜面上に形成されていることを特徴とする。
【００１８】
この場合、前記回転駆動機構は、前記回転カムを回転可能にかつ軸方向に移動可能に支持し、前記回転カムは前記筆記芯が受ける筆記圧に基づいて軸方向に後退し、前記筆記圧の解除により軸方向に前進する動作がなされ、前記回転カムの上下のカム面は、それぞれ円環状の複数のカム面により形成されると共に、前記第１固定カムおよび第２固定カムは、それぞれ円環状の複数のカム面により形成された構成を好適に採用することができる。
【００１９】
さらに好ましくは、前記第１固定カムおよび第２固定カムのカム面は、いずれも漏斗状に成形された傾斜面上に形成され、前記回転カムの上下のカム面は、いずれも円錐状に成形された傾斜面上に形成された構成が採用される。
【００２０】
そして、好ましい実施の形態においては、前記第１固定カムは円筒状の第１カム形成部材に形成され、前記第２固定カムは円筒状の第２カム形成部材に形成され、前記第１カム形成部材と第２カム形成部材とが、軸方向で接合された構成が採用される。
【００２１】
また、他の好ましい実施の形態においては、前記第１固定カムおよび第２固定カムは、シャープペンシルの外郭を構成する軸筒の前端部に配置された口先部材内に形成され、前記上下のカム面を備えた回転カムが、前記口先部材内に位置するスライダーに一体で成形された構成が採用される。
【００２２】
さらに、他の好ましい実施の形態においては、前記第１固定カムは、口先部材の後端部に取り付けられたストッパーに形成され、前記第２固定カムは、口先部材内に形成され、前記上下のカム面を備えた回転カムが、前記口先部材内に収容された構成が採用される。
【００２３】
一方、前記した課題を解決するためになされたこの発明に係るシャープペンシルは、筆記芯が受ける筆記圧に基づいて回転カムを回転駆動させる回転駆動機構を備え、前記回転カムの回転運動を前記筆記芯に伝達するように構成され、前記回転駆動機構には、前記回転カムを回転可能にかつ軸方向に移動可能に支持するホルダー部材が具備されると共に、前記回転カムは前記筆記芯が受ける筆記圧に基づいて軸方向に後退し、前記筆記圧の解除により軸方向に前進する動作がなされ、かつ前記回転カムの軸方向に直交する上下面には、それぞれ円環状の複数のカム面が形成されており、前記ホルダー部材に一体で成形され、軸方向に長い弾性部材の基端部および先端部には、前記回転カムの上下のカム面を挟むように対峙して配置された第１固定カムおよび第２固定カムが形成され、かつ前記弾性部材の先端部に形成された前記第２固定カムは、前記弾性部材の長手方向の先端部からホルダー部材の軸芯に向かって鈍角に屈曲した傾斜面上に成形され、前記第２固定カムのカム面に噛み合う前記回転カムの下側カムのカム面は、円錐状に成形された傾斜面上に形成されていることを特徴とする。
【００２４】
この場合、前記ホルダー部材における弾性部材の基端部には、前記回転カムを回転可能にかつ軸方向に移動可能に支持する円筒部が形成され、前記円筒部には円環状の複数のカム面による前記第１固定カムが形成されると共に、前記第１固定カムのカム面は漏斗状に成形された傾斜面上に形成され、前記第１固定カムのカム面に噛み合う前記回転カムの上側カムのカム面は、円錐状に成形された傾斜面上に形成されていることが望ましい。
【００２５】
また前記第２固定カムは、好ましくは前記弾性部材の長手方向の先端部から前記軸芯に向かって鈍角に屈曲した傾斜面上に、二つのカム面が一つの稜線で交差することで１つの鋸歯状に成形されたカムが形成され、かつ前記稜線の延長線が前記軸芯に向かって形成された構成が採用される。
【００２６】
加えて、前記弾性部材の長手方向の先端部から前記軸芯に向かって鈍角に屈曲した傾斜面と、前記弾性部材の長手方向の先端部に向かう線との角度をα１とし、前記第２固定カムにおけるカムの稜線と、前記弾性部材の長手方向の先端部に向かう線との角度をα２としたとき、α１＜α２の関係に前記第２固定カムが成形されていることが望ましい。
【００２７】
また、好ましい一つの形態においては、前記弾性部材の外側面には、前記軸筒の内周面の一部もしくは前記軸筒と前記ホルダー部材との間に配置された部材の内周面の一部に接する当接部が形成され、当該当接部によって前記弾性部材が前記軸芯から外側に向かって開く度合いを抑制するように構成される。
【００２８】
この場合、前記弾性部材の先端部には、テーパー面が形成され、前記軸筒の一部もしくは前記軸筒と前記ホルダー部材との間に配置された部材の一部が、前記テーパー面に軸方向に接することにより、前記弾性部材が軸芯から外側に向かって開く付勢力を与えた構成も好適に採用することができる。
【００２９】
一方、前記した課題を解決するためになされたこの発明に係るシャープペンシルの他の形態においては、筆記芯が受ける筆記圧に基づいて回転カムを回転駆動させる回転駆動機構を備え、前記回転カムの回転運動を前記筆記芯に伝達するように構成され、前記回転駆動機構には、前記回転カムを回転可能にかつ軸方向に移動可能に支持するホルダー部材が具備されると共に、前記回転カムは前記筆記芯が受ける筆記圧に基づいて軸方向に後退し、前記筆記圧の解除により軸方向に前進する動作がなされ、かつ前記回転カムの軸方向に直交する上下面には、それぞれ円環状の複数のカム面が形成されており、前記ホルダー部材に一体で成形され、軸方向に長い弾性部材の基端部および先端部には、前記回転カムの上下のカム面を挟むように対峙して配置された第１固定カムおよび第２固定カムが形成され、かつ前記ホルダー部材における弾性部材の基端部には、前記回転カムを回転可能にかつ軸方向に移動可能に支持する円筒部が形成され、前記円筒部には円環状の複数のカム面による前記第１固定カムが形成されると共に、前記第１固定カムのカム面は漏斗状に成形された傾斜面上に形成され、前記第１固定カムのカム面に噛み合う前記回転カムの上側カムのカム面は、円錐状に成形された傾斜面上に形成される。
【００３０】
そして、前記したいずれの形態においても、前記ホルダー部材には、当該ホルダー部材に支持された前記回転カムを軸方向に押し出すクッション部材が具備されることが望ましく、前記クッション部材と前記回転カムとの間には、前記回転カムの軸方向の後端面に接して、前記回転カムとの間で滑り動作がなされる滑り部材が配置され、前記滑り部材は前記クッション部材に取り付けられた構成を好適に採用することができる。
【００３１】
この場合好ましくは、前記クッション部材は、前記ホルダー部材に対して二色成形により取り付けられ、前記滑り部材は前記クッション部材に対して二色成形により取り付けられる。
【発明の効果】
【００３２】
前記したこの発明に係るシャープペンシルによると、筆記芯の回転駆動機構を構成する回転カムの上下のカム面を挟むように第１固定カムおよび第２固定カムが具備される。
そして、第１固定カムおよび第２固定カムのうちの少なくとも一方は、カム面が漏斗状に成形された傾斜面上に形成され、前記漏斗状に成形された傾斜面上に形成されたカム面に噛み合う前記回転カムのカム面は、円錐状に成形された傾斜面上に形成される。
したがって、漏斗状に成形された傾斜面上に形成された固定カム側のカム面に、円錐状に成形された傾斜面上に形成した回転カム側のカム面が噛み合うことなる。これにより、回転カムの軸芯が固定カム側の軸芯に一致した理想的な噛み合い状態が実現され、回転駆動機構の円滑な回転駆動動作を保証することができる。
【００３３】
また、前記したこの発明に係るシャープペンシルの他の一つの形態によると、回転駆動機構を構成するホルダー部材に一体成形された軸方向に長い弾性部材に、回転カムの上下のカム面を挟むように対峙する第１および第２固定カムが形成される。そして、弾性部材の先端部に形成された第２固定カムは、前記弾性部材の長手方向の先端部からホルダー部材の軸芯に向かって鈍角に屈曲した傾斜面上に形成される。
【００３４】
前記したホルダー部材の構成によると、軸方向に長い弾性部材および第１と第２固定カムを含む部分を成形するための金型（コアーピン）を、軸方向に離型するように構成することができる。すなわち、コアーピンを軸方向に離型する場合において、いわゆる無理抜きを実行することで、前記弾性部材を外側に変形させつつ、鈍角に屈曲して成形された第２固定カムに障害を与えることなく前記コアーピン引き抜くことができる。
【００３５】
そして、前記第２固定カムのカム面に噛み合う前記回転カムの下側カムのカム面を、円錐状に成形された傾斜面上に形成することで、前記回転カムの軸芯がホルダー部材の軸芯に一致した理想的な噛み合い状態が実現され、これにより、回転駆動機構の円滑な回転駆動動作を保証することができる。
【００３６】
加えて、前記第１固定カムは円環状に連続した多数のカム面により構成し、そのカム面を漏斗状の傾斜面上に形成すると共に、回転カムの上側カムのカム面も円錐状に成形された傾斜面に形成することで、前記第１固定カムと上側カムとの間においても、両者の軸芯が一致した理想的な噛み合い状態を実現させることができる。
【００３７】
さらに、ホルダー部材の射出成型に際して、金型（コアーピン）を軸方向に離型させることができるので、前記第１固定カムは前記したとおり、円環状に連続した多数のカム面を備えた構成にすることができ、より耐久性を向上させた回転駆動機構を提供することができる。
【図面の簡単な説明】
【００３８】
【図１】この発明に係るシャープペンシルの第１の実施の形態の前半部を示した断面図である。
【図２】図１に続く後半部を示した断面図である。
【図３】図１に示す状態から９０度軸回転した状態の前半部を示した断面図である。
【図４】図３に続く後半部を示した断面図である。
【図５】図１〜図４に示すシャープペンシルに搭載された回転駆動機構のホルダー部材を示した斜視図である。
【図６】図５に示すホルダー部材の上下を反転して示した斜視図である。
【図７】図５に示すホルダー部材の正面図である。
【図８】図５に示した状態のホルダー部材を軸方向に切断した断面図である。
【図９】図１〜図４に示すシャープペンシルに搭載された回転駆動機構の回転カムを示した正面図である。
【図１０】図９に示す回転カムをホルダー部材に装着した回転駆動機構を示した斜視図である。
【図１１】この発明に係るシャープペンシルの第２の実施の形態の前半部を示した断面図である。
【図１２】図１１に示すシャープペンシルに搭載された回転駆動機構のホルダー部材を示した斜視図である。
【図１３】図１２に示すホルダー部材の上下を反転して示した斜視図である。
【図１４】図１２に示すホルダー部材の正面図である。
【図１５】図１４に示した状態のホルダー部材を軸方向に切断した断面図である。
【図１６】図１１に示すシャープペンシルに搭載された回転駆動機構の回転カムを示した正面図である。
【図１７】図１６に示す回転カムをホルダー部材に装着した回転駆動機構を示した斜視図である。
【図１８】この発明に係るシャープペンシルの第３の実施の形態において用いられる回転駆動機構のホルダー部材を示した斜視図である。
【図１９】図１８に示すホルダー部材の正面図である。
【図２０】図１９に示すホルダー部材を軸方向に９０度回転させた状態の側面図である。
【図２１】図２０におけるＢ−Ｂ線より矢印方向に見た状態の弾性部材の拡大断面図である。
【図２２】図１９における鎖線で囲まれたＡ部分の拡大図である。
【図２３】第３の実施の形態に係るシャープペンシルの回転駆動機構の拡大断面図である。
【図２４】第４の実施の形態に係るシャープペンシルの外観図および断面図である。
【図２５】図２４に示す回転カムの単体構成を示した外観図および断面図である。
【図２６】図２４に示す第１固定カム形成部材の単体構成を示した外観図および断面図である。
【図２７】図２４に示す第２固定カム形成部材の単体構成を示した外観図および断面図である。
【図２８】第５の実施の形態に係るシャープペンシルの断面図である。
【図２９】図２８に示す回転カムの単体構成を示した外観図および断面図である。
【図３０】図２８に示す第１固定カム形成部材の単体構成を示した外観図および断面図である。
【図３１】第６の実施の形態に係るシャープペンシルの断面図である。
【図３２】図３１に示す回転カムの単体構成を示した外観図および断面図である。
【図３３】図３１に示す口先部材の単体構成を示した断面図である。
【図３４】図３１に示すストッパーの単体構成を示した断面図である。
【発明を実施するための形態】
【００３９】
この発明に係るシャープペンシルについて、図に示す実施の形態に基づいて説明する。なお、以下に示す各図においては同一部分もしくは同一の機能を果たす部分を同一符号で示しているが、紙面の都合により一部の図面については代表的な部分に符号を付け、その詳細な構成はその他の図面に付した符号を引用して説明する場合もある。
【００４０】
先ず図１〜図１０は、この発明に係るシャープペンシルの第１の実施の形態を示したものである。
図１および図３に示すように、軸筒１の先端部には、飾りリング２が取り付けられた口先部材３が螺合されることで、口先部材３は軸筒１に対して着脱可能に取り付けられている。前記軸筒１の軸芯に沿って筒状の芯ケース４が収容されており、この芯ケース４の先端部には短軸の芯ケース継手５が取り付けられ、前記芯ケース継手５を介して真ちゅう製のチャック６が連結されている。
【００４１】
前記チャック６内には、その軸芯に沿って図示せぬ筆記芯の通孔が形成され、またチャック６の先端部が周方向に複数（例えば３つ）に分割されて、分割された先端部は真ちゅうによりリング状に形成された締め具７内に遊嵌されている。またリング状の前記締め具７は前記チャック６の周囲を覆うようにして配置された回転駆動機構２１の一部を構成する回転カム２３の先端部内面に装着されている。
【００４２】
前記回転カム２３の前端部には、前記した口先部材３内に収容されて、その前端部が口先部材３より突出されるスライダー９が、回転カム２３の外周面を覆うようにして嵌合されて取り付けられ、さらにスライダー９の前端部には、筆記芯を案内する先端パイプ１０がパイプ保持具１１を介して取り付けられている。
また、前記スライダー９の内周面における前記したパイプ保持具１１の直後には、軸芯部分に通孔を形成したゴム製の保持チャック１２が装着されている。
【００４３】
前記した構成により、芯ケース４に続くチャック６内に形成された通孔、および前記保持チャック１２の軸芯に形成された通孔を介して、先端パイプ１０に至る直線状の芯挿通孔が形成されており、この直線状の芯挿通孔内に図示せぬ筆記芯が挿通される。そして、前記した回転カム２３と芯ケース継手５との間には、コイル状のチャックスプリング１３が配置されている。
【００４４】
すなわち、前記チャックスプリング１３は、その前端部が回転カム２２の内周面に形成された環状の段部に当接し、チャックスプリング１３の後端部は前記芯ケース継手５の前端面に当接した状態で収容されている。したがって、前記チャックスプリング１３の軸方向の拡開作用により、前記チャック６は回転カム２２内を後退して、その先端部がリング状の締め具７内に収容される方向に、すなわち筆記芯を把持する方向に付勢されている。
【００４５】
前記した回転カム２３を含む筆記芯の回転駆動機構２１は、その外郭がホルダー部材２２により構成され、このホルダー部材２２に円柱状に形成された前記回転カム２３が回転可能に装着されている。また、前記ホルダー部材２２にはゴム製のクッション部材２４が装着されており、このクッション部材２４に、前記回転カムとの間で滑り動作がなされる滑り部材（以下、これをトルクキャンセラーとも呼ぶ。）２５が取り付けられている。
前記トルクキャンセラー２５は、前記回転カム２３の後端部に当接し、前記クッション部材２４の弾性により、前記回転カム２３を軸方向の前方に押し出す作用を与えている。
【００４６】
なお、前記回転カム２３、クッション部材２４およびトルクキャンセラー２５の内周面は、前記した芯ケース４を通す空間部になされており、これにより芯ケース４およびチャック６等は独立して軸方向に移動可能になされている。
そして、前記回転駆動機構２１は、ホルダー部材２２、回転カム２３、クッション部材２４およびトルクキャンセラー２５等を備えてユニット化されており、このユニット化された回転駆動機構２１の構成については、図５〜図１０に基づいて後で詳細に説明する。
【００４７】
前記回転駆動機構２１を備えたシャープペンシルは、クッション部材２４の作用により前記した回転カム２３およびチャック６に把持された図示せぬ筆記芯を軸方向に前進した状態に保持している。
そして、筆記動作に伴い筆記芯に筆記圧が加わると、筆記芯およびこれを把持するチャック６ならびに前記回転カム２３が僅かに後退して、前記クッション部材２４が軸方向に圧縮される。また、筆記芯が筆記面（紙面）から放れた瞬間に、前記クッション部材２４の復元作用により回転カム２３およびチャック６は僅かに前進する。
【００４８】
すなわち、前記回転駆動機構２１は、筆記動作に伴う筆記芯の僅かな後退および前進動作（クッション動作）を前記チャック６を介して受けて、前記した回転カム２３を一方向に回転させるように作用し、その回転運動を前記チャック５に伝達させて、チャック５に把持された図示せぬ筆記芯を回転駆動するように機能する。
【００４９】
ユニット化された前記回転駆動機構２１は、軸筒の後端部側から挿入された消しゴム受け台３１によって、軸筒１内の前方に向かって押し込まれて位置決めされている。
この消しゴム受け台３１は、図２および図４にも示されているように、全体に長軸状の円筒体を構成し、その前端部付近に円環状のアンダーカット部３１ａが形成され、このアンダーカット部３１ａが軸筒１内において嵌合されて固定される。
【００５０】
そして、前記アンダーカット部３１ａの前方は、周方向に沿って複数のスリットが施されることで蛇腹状に構成され、この蛇腹状の構成により第１スプリング体３１ｂを構成している。また、前記アンダーカット部３１ａの後方は螺旋状に形成されており、この螺旋構造により第２スプリング体３１ｃを構成している。さらに第２スプリング体３１ｃの後方は円筒体３１ｄを構成し、その端部には後述する消しゴムが装着されるように構成されている。
【００５１】
前記消しゴム受け台３１は、前述したとおりアンダーカット部３１ａが軸筒１内において嵌合されることで軸筒内に固定され、アンダーカット部３１ａの前方に形成された第１スプリング体３１ｂがユニット化された回転駆動機構２１を前方に押し込むように作用する。そして、前記回転駆動機構２１の一部が軸筒１内の縮径により形成された図１に示す段部１ａに当接することにより、回転駆動機構２１は軸筒１内に位置決めされて取り付けられている。
【００５２】
図２および図４に示されているように、軸筒１の後端部にはクリップ３３ａが一体で形成された円筒状のクリップ支持体３３が、軸筒１の内周面に嵌合されて取り付けられている。そして、クリップ支持体３３よりも僅かに後方に突出するようになされた前記消しゴム受け台３１の後端部には、消しゴム３４が着脱可能に装着されると共に、前記消しゴム３４を覆うノックカバー３５が、消しゴム受け台３１の後端部の周面に着脱可能に取り付けられている。
【００５３】
なお、前記消しゴム受け台３１における消しゴム３４の装着位置には、小口径になされた筆記芯の補給孔３１ｅが形成され、その直前には軸に直交するようにして当接部３１ｆが形成されている。そして、消しゴム受け台３１に形成された当接部３１ｆと、前記した芯ケース４の後端部とは、軸方向に所定の間隔をもって対峙した構成にされている。
この構成によると、筆記に伴う前記したクッション動作によりチャック６および芯ケース４が若干後退しても、芯ケース４の後端部が前記消しゴム受け台の当接部３１ｆに衝突することはなく、前記回転駆動機構２１の回転動作に障害を与えるのを避けることができる。
【００５４】
以上の構成において、前記したノックカバー３５をノック操作することにより、前記消しゴム受け台３１に形成された第２スプリング体３１ｃは収縮し、消しゴム受け台３１の当接部３１ｆが芯ケース４を前方に押し出す。
これにより、チャック６が前進してスライダー９を若干前方に押し出す。しかしスライダー９の一部が口先部材３内に当接してその前進が阻まれるため、チャック６の先端部が締め具７から相対的に突出してチャック６による筆記芯の把持状態が解除される。
そして、前記ノック操作を解除することにより、消しゴム受け台３１の第２スプリング体３１ｃの作用により、ノックカバー３５は後退すると共に、チャックスプリング１３の作用によりチャック６および芯ケース４も軸筒内において後退する。
【００５５】
この時、筆記芯は保持チャック１２に形成された通孔内において摩擦により一時的に保持されており、この状態でチャック６が後退してその先端部が前記締め具７内に収容されることで、筆記芯を再び把持状態にする。
すなわち、ノックカバー３５のノック操作の繰り返しによりチャック６が前後に移動し、これにより筆記芯の解除と把持が行われ、筆記芯はチャック６から順次前方に繰り出されるように作用する。
【００５６】
図５〜図１０は第１の実施の形態に係る筆記芯の回転駆動機構２１を示すものであり、図５〜図８は回転カムを除いたユニットの半完成の状態で、図１０は回転カムを装着しユニットの完成状態で示している。
図に示すように、回転駆動機構２１の外郭を構成するホルダー部材２２は、その中央に円筒部２２ａが構成され、この円筒部２２ａの内周面が回転カム２３を回転可能に、かつ軸方向に移動可能に支持する機能を果たす。
【００５７】
前記円筒部２２ａの一端部側、すなわち回転駆動機構２１を軸筒１内に装着した状態における前端部側には、軸方向に長い一対の弾性部材２２ｂが軸対称の位置にそれぞれ形成されている。この一対の弾性部材２２ｂは前記した中央の円筒部２２ａに一体で樹脂成形により形成され、かつ細長く形成されることで弾性作用が付与されている。
そして、一対の弾性部材２２ｂの基端部、すなわち前記円筒部２２ａの端面には円環状に連続して、鋸歯状に成形された多数のカム（これを、第１固定カムという。）２２ｃが形成されている。
【００５８】
また、一対の弾性部材２２ｂの先端部には、それぞれ鋸歯状に形成されたカム（これを、第２固定カムという。）２２ｄが、前記第１固定カム２２ｃに向くようにして、弾性部材２２ｂと一体で樹脂成形されている。
この第２固定カム２２ｄには、図５に示されているように弾性部材２２ｂの幅方向の寸法に形成できる程度の少数の鋸歯状のカム面が形成されている。
そして、図８に示されているように、前記第２固定カム２２ｄのカム面は、前記弾性部材２２ｂの長手方向の先端部から軸芯に向かって鈍角に屈曲した傾斜面上に成形されている。すなわち図８に示すように、弾性部材２２ｂの長手方向に対して第２固定カム２２ｄのカム面は、αで示す角度（鈍角）をもって形成されている。
【００５９】
前記した中央の円筒部２２ａの他端部側、すなわち回転駆動機構２１が軸筒内に装着された状態における後端部側には、軸方向に伸びる一対の柱状体２２ｅが軸対称の位置に形成されており、この柱状体２２ｅを介してリング部材２２ｆが前記円筒部２２ａと一体で樹脂成形されている。
このリング部材２２ｆを利用して、ゴム製のクッション部材２４が装着されており、このクッション部材２４を介して樹脂製のトルクキャンセラー２５が取り付けられている。
【００６０】
前記クッション部材２４は円筒状に成形され、この円筒部には周方向に沿って複数のスリット２４ａが形成されて蛇腹状になされ、クッション部材２４として軸方向の弾力性を高めている。
この実施の形態においてはゴム製のクッション部材２４は、前記したリング部材２２ｆとトルクキャンセラー２５の間においてエラストマー等のゴム素材を用いて二色成形により一体化されている。なお、図５に符号２４ｂで示す部分が二色成形を行う際のゴム素材注入用のゲート位置を示している。
【００６１】
前記トルクキャンセラー２５には、図７および図８に示されているように前記クッション部材２４の反対面において複数の半球状の突起２５ａが面に沿って形成されており、この突起２５ａは、前記クッション部材２４の弾性作用により、後述する回転カム２３の後端部に当接して回転カム２３を前方に押し出す作用を与えると共に、回転カム２３の後端面との間で滑りが生ずるように機能する。
【００６２】
なお、図７および図８に示されているように、前記したクッション部材２４におけるトルクキャンセラー２５の直近には、軸に直交する方向に円環状に突出する鍔部２４ｃがクッション部材２４と一体に形成されている。そして、この鍔部２４ｃにおける前記一対の柱状体２２ｅに対峙する位置には、凹状のガイド部２４ｄが形成されている。この凹状のガイド部２４ｄは、前記回転カム２３の軸方向の後退に伴って、前記一対の柱状体２２ｅの長さ方向（軸方向）に沿って移動するように機能する。
【００６３】
図９は、前記した回転カム２３の単体の構成を示すものであり、この回転カム２３は円筒状に形成されると共に、中央部が大径部になされ、その大径部の軸に直交する上下の端面には、円環状に連続した多数の鋸歯状のカム２３ａ，２３ｂがそれぞれ形成されている。なお、以下においては一方を上側カム２３ａと称し、他方を下側カム２３ｂと称する。
【００６４】
この実施の形態における回転カム２３は、図９に示すように、前記上側カム２３ａは、軸に直交する面に対して多数の鋸歯状のカムが連続して円環状に形成されている。
また、前記下側カム２３ｂは、中央の大径部から小径部に亙って形成された円錐状に成形された傾斜面Ｃｓに対して、多数の鋸歯状のカムが連続して円環状に形成されている。
そして、前記回転カム２３の前端部側の小径部は、前記ホルダー部材２２へ装着した場合の回転軸２３ｃに成される。
【００６５】
図１０は、前記した構成のホルダー部材２２に、回転カム２３を装着した状態を示すものである。前記ホルダー部材２２に回転カム２３を組み付けるには、ホルダー部材２２に形成された一対の弾性部材２２ｂ側から、回転カム２３の回転軸２３ｃをホルダー部材２２の前記円筒部２２ａ内に向かって押し込むことで、一対の弾性部材２２ｂは互いに外側に押し広げられつつ回転軸２３ｃが円筒部２２ａ内に収容される。これにより回転駆動機構２１を構成することができる。
【００６６】
前記した回転駆動機構２１を構成するホルダー部材２２における第１固定カム２２ｃのカム面は、前記したとおりホルダー部材２２の円筒部２２ａにおける軸に直交する端面に形成されており、一方、前記した回転カム２３の上側カム２３ａのカム面も軸に直交する面に形成されている。したがって、両者は軸方向に支障なく噛み合うことができる。
【００６７】
また、回転駆動機構２１を構成するホルダー部材２２における第２固定カム２２ｄのカム面は、前記したとおり弾性部材２２ｂの長手方向に対して鈍角（角度α）をもって形成されており、一方、前記した回転カム２３の下側カム２３ｂのカム面は円錐状に成形された傾斜面Ｃｓに形成されている。
そして、第２固定カム２２ｄの前記角度αと、回転カム２３の前記円錐状に成形された傾斜面Ｃｓとは軸方向において一致するように構成されており、したがって、第２固定カム２２ｄと下側カム２３ｂとは、軸方向に支障なく噛み合うことができる。
【００６８】
以上のように構成された筆記芯の回転駆動機構２１によると、図１および図３に示すようにチャック６が筆記芯を把持した状態で、前記回転カム２３はチャック６と共に軸芯を中心にして回転可能になされている。そして、シャープペンシルが筆記状態以外の場合においては、回転駆動機構２１内に配置された前記したゴム製のクッション部材２４の作用により、前記トルクキャンセラー２５を介して回転カム２３は前方に向かって付勢されている。
【００６９】
一方、このシャープペンシルにより筆記を行った場合、すなわち先端パイプ１０から突出している筆記芯に筆記圧が加わった場合には、前記チャック６は前記クッション部材２４の付勢力に抗して後退し、これに伴って回転カム２３も軸方向に僅かに後退する。したがって、回転カム２３に形成された鋸歯状の上側カム２３ａは前記第１固定カム２２ｃに接合して噛み合い状態になされる。
【００７０】
この場合、対峙した状態の上側カム２３ａと第１固定カム２２ｃは、軸方向においてカムの一歯に対して半位相（半ピッチ）ずれた関係となるように設定されており、前記したように上側カム２３ａが第１固定カム２２ｃに接合して噛み合い状態になされることによって、回転カム２３は上側カム２３ａの一歯の半位相（半ピッチ）に相当する回転駆動を受ける。
【００７１】
そして、前記したように上側カム２３ａが第１固定カム２２ｃに接合して噛み合い状態になされた状態においては、対峙した状態の鋸歯状の下側カム２３ｂと第２固定カム２２ｄのカム面は、軸方向においてカムの一歯に対して半位相（半ピッチ）ずれた関係となるように設定されている。
【００７２】
したがって一画の筆記が終わり、筆記芯に対する筆記圧が解かれた場合には、前記したクッション部材２４の作用により回転カム２３は軸方向に僅かに押し出されて前進し、回転カム２３に形成された下側カム２３ｂが、第２固定カム２２ｄに噛み合う。これにより回転カム２３は下側カム２３ｂの一歯の半位相（半ピッチ）に相当する同方向の回転駆動を再び受ける。
【００７３】
以上のとおり、前記したシャープペンシルによると、筆記圧を受けることによる回転カム２３の軸方向への往復運動に伴って、回転カム２３は上側カム２３ａおよび下側カム２３ｂの一歯（１ピッチ）に相当する回転駆動を受け、前記したチャック６を介してこれに把持された筆記芯も同様に一方向に回転駆動される。
したがって、筆記芯は自身が受ける回転運動と筆記による摩耗とにより、先端部が常に円錐形状になされる。それ故、書き進むにしたがって筆記芯が偏摩耗するのを防止させることができ、安定した線幅による筆記が可能となる。
【００７４】
以上説明した第１の実施の形態によると、回転駆動機構２１を構成する第２固定カム２２ｄのカム面は、弾性部材２２ｂの長手方向から軸芯に向かって鈍角に屈曲した状態に成形され、またこれに噛み合う回転カム２３の下側カム２３ｂのカム面が、円錐状に成形された傾斜面Ｃｓ上に形成されているので、回転カム２３が第２固定カム２２ｄに軸方向に噛み合うことで、前記回転カム２３の軸芯がホルダー部材２２の軸芯に一致した理想的な噛み合い状態が実現される。これにより、回転駆動機構の円滑な回転駆動動作を保証することができるなど、前記した発明の効果の欄に記載したとおりの作用効果を得ることができる。
【００７５】
次に図１１〜図１７は、この発明に係るシャープペンシルの第２の実施の形態を示したものであり、図１１はこのシャープペンシルの前半部を断面図によって示したものである。なお図１１は、すでに説明した第１の実施の形態に係る図１の構成に相当するものであり、それぞれ同一の機能を果たす部分を同一符号で示している。したがって、その詳細な説明は省略する。また、図１１に続くシャープペンシルの後半部は、すでに説明した図２に示す構成と同一である。
【００７６】
図１２〜図１７は、第２の実施の形態に係る筆記芯の回転駆動機構２１の構成を示すものである。なおこれらの各図は、第１の実施の形態に係る図５〜図１０にそれぞれ相当するものであり、それぞれ同一の機能を果たす部分を同一符号で示しており、その詳細な説明は省略する。
したがって以下においては、第２の実施の形態における特徴点に絞って説明する。
【００７７】
この第２の実施の形態においては、特に図１３および図１５に表れているように、ホルダー部材２２の円筒部２２ａに形成された第１固定カム２２ｃは、多数の鋸歯状のカムが円環状に連続して形成されており、この第１固定カム２１ｃのカム面は漏斗状に成形された傾斜面Ｆｕ上に形成されている。
また、第２固定カム２２ｄのカム面は、図１５に示すように弾性部材２２ｂの長手方向の先端部から軸芯に向かって角度αで示す鈍角に屈曲した傾斜面上に成形されており、これは前記した第１の実施の形態と同様である。
【００７８】
一方、前記した第１固定カム２２ｃに噛み合う回転カム２３の上側カム２３ａのカム面は、図１６に示されているように円錐状に形成された傾斜面上に形成されている。
すなわち、図１６は第２の実施の形態に係る回転カム２３の単体構成を示すものであり、この実施の形態においては、上側カム２３ａおよび下側カム２３ｂは、中央の大径部から両側の小径部に亙って形成された円錐状に成形された傾斜面Ｃｓに対して多数の鋸歯状のカムが連続して円環状に形成されている。
【００７９】
そして、第１固定カム２２ｃの前記した漏斗状に成形された傾斜面Ｆｕと、回転カム２３の上側カム２３ａの円錐状に成形された傾斜面Ｃｓとは軸方向において一致するように構成されており、したがって、第１固定カム２２ｃと上側カム２３ａとは、軸方向に支障なく噛み合うことができる。また、第２固定カム２２ｄのカム面の傾斜角度αと、回転カム２３の下側カム２３ｂの円錐状に成形された傾斜面Ｃｓとは軸方向において一致するように構成されており、第２固定カム２２ｄと下側カム２３ｂとは、軸方向に支障なく噛み合うことができることは前記した第１の実施の形態と同様である。
【００８０】
以上説明した第２の実施の形態によると、回転駆動機構２１を構成する第１固定カム２２ｃのカム面は、漏斗状に成形された傾斜面Ｆｕ上に形成され、またこれに噛み合う回転カム２３の上側カム２３ａのカム面が、円錐状に形成された傾斜面上に形成されている。
これに加えて、第２固定カム２２ｄのカム面は、弾性部材２２ｂの長手方向の先端部から軸芯に向かって鈍角に屈曲した傾斜面上に成形され、またこれに噛み合う回転カム２３の下側カム２３ｂのカム面が、円錐状に成形された傾斜面上に形成されているので、回転カム２３は軸方向のいずれの方向においても、軸芯が前記ホルダー部材２２の軸芯に一致した理想的な噛み合い状態が実現される。
これにより、前記した第１の実施の形態に比べて回転駆動機構のより円滑な回転駆動動作を保証することができるなど、前記した発明の効果の欄に記載したとおりの作用効果を得ることができる。
【００８１】
ところで、前記した第１および第２の実施の形態において用いられている筆記芯の回転駆動機構２１は、ホルダー部材２２に形成された第２固定カム２２ｄには、例えば図５および図１２に示されているように、弾性部材２２ｂの幅方向の寸法に形成できる程度の少数の鋸歯状のカム面が形成されている。
【００８２】
この構成によると、軸方向に長い弾性部材２２ｂおよびその先端部に形成された第２固定カム２２ｄを成形するための金型（コアーピン）を、前記した無理抜きの手法により軸方向に離型した場合、前記第２固定カム２２ｄにおける一部のカム面に、前記離型に伴い擦れ傷が発生するという問題が検証されている。
この問題は、第２固定カム２２ｄに形成される鋸歯状カムの各稜線が互いに放射状に成形されるのに対して、前記コアーピン側の前記稜線に対応する部分が、前記稜線上を平行に相対移動しつつ離型するために生ずるものと推測される。
【００８３】
一方、前記した回転駆動機構２１においては、第２固定カム２２ｄは弾性部材２２ｂの長手方向の先端部から軸芯に向かって鈍角に屈曲した傾斜面上に成形されているので、回転カム２３の軸方向の位置が安定しないという問題が生ずる。
すなわち、回転カム２３の軸方向の位置は、ゴム製のクッション部材２４による回転カム２３を前方に向かって押し出す付勢力と、前記一対の弾性部材２２ｄが外側に広げられる撓みの復元力とのバランスによって決められることになるためである。
したがって、回転カム２３の軸方向の位置のばらつきは、回転カム２３に連結されたスライダー９および先端パイプ１０等の口先部材３からの突出寸法のばらつきとして現れることになる。
【００８４】
図１８〜図２３は、前記した技術的な課題を解消すべくなされた第３の実施の形態に係る筆記芯の回転駆動機構２１の構成を示すものである。なお、図１８〜図２３においてはすでに説明した第１の実施の形態に係る各部と同一の機能を果たす部分を同一符号で示しており、その詳細な説明は省略する。したがって以下においては、第３の実施の形態における特徴点に絞って説明する。
【００８５】
この第３の実施の形態においては、前記第２固定カム２２ｄは、図１８および図２１に示されているように、弾性部材２２ｂの長手方向の先端部から軸芯に向かって鈍角に屈曲した傾斜面２２ｇ上に形成された１つの鋸歯状のカムにより構成されている。
この鋸歯状のカム（第２固定カム２２ｄ）は、二つのカム面２２ｈ，２２ｉが一つの稜線２２ｊで交差することで鋸歯状に成形され、前記稜線２２ｊの延長線がホルダー部材２２の軸芯に向かうように形成されている。
【００８６】
前記した第２固定カム２２ｄの構成によると、当該第２固定カム２２ｄを樹脂成型するための前記コアーピンを、前記した無理抜きの手法により軸方向に離型した場合、前記コアーピン側の前記稜線に対応する部分が、前記固定カム２２ｄの稜線２２ｊの長手方向に沿って相対移動して離型することになる。
したがって、前記コアーピンの離型に際してカム面に傷を残すなど、第２固定カム２２ｄにダメージを与える問題を解消することができる。
【００８７】
さらに、この第３の実施の形態においては、図２２に一部を拡大して示したように、弾性部材２２ｂの長手方向の先端部から軸芯に向かって鈍角に屈曲した傾斜面２２ｇ上に前記した第２固定カム２２ｄが形成されると共に、前記傾斜面２２ｇと前記第２固定カム２２ｄの前記稜線２２ｊとの間で特定な角度を持たせた構成を採用している。
すなわち、前記傾斜面２２ｇと、前記弾性部材２２ｂの長手方向の先端部に向かう線との角度をα１とし、前記第２固定カム２２ｄにおけるカムの稜線２２ｊと、前記弾性部材２２ｂの長手方向の先端部に向かう線との角度をα２としたとき、α１＜α２の関係となるように前記第２固定カム２２ｄが成形されている。
【００８８】
前記した第２固定カム２２ｄの構成によると、第２固定カム２２ｄを樹脂成型するための前記コアーピンを、前記した無理抜きの手法により軸方向に離型しようとした場合、鈍角の角度が小さい前記α１の角度をもって成形された前記傾斜面２２ｇに対して、まず前記コアーピンが軸方向に当接して、弾性部材２２ｂを外側に押し広げるように作用する。  したがって、前記第２固定カム２２ｄは前記コアーピンから即座に離型するように作用するため、前記コアーピンの離型に伴い第２固定カム２２ｄのカム面に傷を残すなどの問題を解消することができる。
【００８９】
また、この第３の実施の形態においては、前記ホルダー部材２２に形成された弾性部材２２ｂの外側面には、図１８〜図２２に示されたように、凸状の当接部２２ｍが形成されている。この当接部２２ｍは、図２３に示したように軸筒１内に回転駆動機構２１として装着した場合において、前記軸筒１の内周面の一部に接することで、前記一対の弾性部材２２ｂがホルダー部材２２の軸芯から外側に向かって開くのを抑制するように作用する。
これにより、前記した回転カム２３は前記クッション部材２４に押されて過度に前進するのが抑制され、結果として口先部材３から突出する前記スライダー９および先端パイプ１０等の口先部材３からの突出寸法のばらつきを抑制することができる。
【００９０】
この場合、前記した弾性部材２２の先端部には、図１８および図１９に示されているように、軸芯に向かうテーパー面２２ｎが形成されていることが望ましい。
すなわち、図２３に示されているように、前記テーパー面２２ｎには、前記軸筒１と一体に形成された環状の突出部１ｂが当接されることで、前記一対の弾性部材２２ｂに対して軸芯から外側に向かって開く付勢力を与えることができる。
【００９１】
このように、前記一対の弾性部材２２ｂは、軸筒１内において前記した当接部２２ｍにより外側に向かって開くのを抑制させる作用が与えられると共に、前記テーパー面２２ｎの作用により軸芯から外側に向かって開く付勢力が与えられる。
したがって、前記一対の弾性部材２２ｂは、前記両者の作用を受けて常に一定の間隔をもって軸筒１内に装着され、回転カム２３の軸方向における正確な位置決めを果たすことができる。これにより、前記したとおり、スライダー９および先端パイプ１０等の口先部材３からの突出寸法のばらつきを抑制することに寄与できる。
【００９２】
なお図２３に示した例においては、ホルダー部材２２に形成された当接部２２ｍおよびテーパー面２２ｎは、いずれも軸筒１の一部に接するように構成されているが、これは例えば軸筒１とホルダー部材２２との間に配置された他の部材の一部に接するように構成されていても同様の作用効果を果たすことができる。
【００９３】
以上説明した第１〜第３の実施の形態においては、例えば図９に示したように下側カム２３ｂのカム面を円錐状の傾斜面Ｃｓに成形した回転カム２３、および図１６に示したように上側カム２３ａおよび下側カム２３ｂの各カム面をそれぞれ円錐状の傾斜面Ｃｓに成形した回転カム２３を用いることで、回転カム２３の軸芯をホルダー部材２２の軸芯に一致させた理想的な噛み合い状態を実現させている。
【００９４】
この場合、図には示していないが、上側カム２３ａのカム面のみを円錐状の傾斜面Ｃｓに成形した回転カム２３を用い、ホルダー部材２２の第１固定カム２２ｃは、例えば図１３に示したように漏斗状に成形された傾斜面Ｆｕ上に形成させた構成も好適に採用することができ、同様に回転駆動機構２１の円滑な回転駆動動作を保証することができる。
【００９５】
以上の第１〜第３の実施の形態においては、回転駆動機構２１を構成する主にホルダー部材２２と回転カム２３との関係について説明したが、この発明に係るシャープペンシルは、前記した特定の構造を備えたホルダー部材２２は必ずしも必要ではない。
以下に説明する各回転駆動機構の構成においても、回転カム２３の円滑な回転駆動動作を保証するシャープペンシルを提供することができる。
【００９６】
図２４〜図２７は、この発明に係るシャープペンシルの第４の実施の形態を示したものである。
図２４はシャープペンシルの全体構成を示したものであり、符号１はシャープペンシルの外郭を構成する軸筒を示し、符号３は前記軸筒１の先端部に取り付けられた口先部を示している。前記軸筒１内の中心部には筒状の芯ケース４が軸筒１と同軸状に収容されており、この芯ケース４の先端部にはチャック６が連結されている。
【００９７】
このチャック６には、その軸芯に沿って通孔が形成され、また先端部が三方に分割されて、分割された先端部がリング状に形成された締め具７内に遊嵌されるようにして装着されている。そして、リング状の前記締め具７は前記チャック６の周囲を覆うようにして配置された円筒状に形成された回転カム２３の先端部内面に装着されている。
【００９８】
前記口先部３より突出するようにして筆記芯をガイドする先端パイプ１１が備えられ、この先端パイプ１１の基端部は前記口先部３内に位置するスライダー９の先端部内面に、パイプ保持部材を介して嵌合により取り付けられている。前記スライダー９は、その基端部（後端部）側が大径となるように円筒部が連続した階段状に形成されており、その基端部内面は前記した回転カム２３の先端部における周側面に嵌合されている。そして、前記スライダー９における内周面には、軸芯部分に通孔を形成したゴム製の保持チャック１２が収容されている。
【００９９】
前記した構成により、芯ケース４よりチャック６内に形成された通孔、前記保持チャック１２の軸芯に形成された通孔を介して、前記先端パイプ１１に至る直線状の芯挿通孔が形成されており、この直線状の芯挿通孔内に筆記芯（替え芯）が挿通される。そして、前記した回転カム２３とチャック６との間の空間部には、コイル状のチャックスプリング１３が配置されている。
【０１００】
なお前記チャックスプリング１３の一端部（後端部）は前記芯ケース４の端面に、また前記チャックスプリング１３の他端部（前端部）は回転カム２３内に形成された環状の端面に当接した状態で収容されている。したがって前記チャックスプリング１３の作用により、回転カム２３内のチャック６は後退する方向に付勢されている。
【０１０１】
前記した回転カム２３は、それぞれ円筒状に形成されて軸方向に接続された第１固定カム形成部材４１と第２固定カム形成部材４２内に、回転可能にかつ軸方向に移動可能に収容されている。なお、前記回転カム２３と第１固定カム形成部材４１および第２固定カム形成部材４２の詳細な構成については、それぞれ単体構成で示した図面に基づいて後で説明する。
【０１０２】
図２４に示されたように円筒状に形成された前記第１固定カム形成部材４１の後端部内面には、円筒状のストッパー４３が第１固定カム形成部材４１内に嵌合されて取り付けられており、このストッパー４３の前端部と、円筒状に形成されて軸方向に移動可能なトルクキャンセラー２５との間にはコイル状のクッションスプリング４４が装着されている。
【０１０３】
前記クッションスプリング４４は、前記トルクキャンセラー２５を前方に付勢するように作用し、この付勢力を受けた前記トルクキャンセラー２５に押されて前記回転カム２３は前方に押し出されるように構成されている。
したがって、図２４に示した第４の実施の形態においては、筆記芯の回転駆動機構２１は、回転カム２３、第１固定カム形成部材４１、第２固定カム形成部材４２、ストッパー４３、クッションスプリング４４、トルクキャンセラー２５によりユニット化されている。
【０１０４】
軸筒１の後端部側内面には、円筒状に形成されたノック棒４６が軸方向にスライド可能に収容されており、このノック棒４６は、前記ストッパー４３との間に配置された軸スプリング４７によって、軸筒１の後方に向かって付勢されている。
そして、軸筒１の後端部においてクリップ３３ａを一体に形成したクリップ支持体３３が軸筒１内に嵌め込まれて取り付けられており、このクリップ支持体３３内に形成された円環状の段部３３ｂが、前記ノック棒４６が軸筒１の後端部側から抜け出るのを阻止する抜け止め機構を構成している。
【０１０５】
前記ノック棒４６の後端部は円環状に形成され、前記クリップ支持体３３の後端部よりも若干後方に突出した状態に構成されており、前記ノック棒４６の後端部内面には消しゴム３４が装着されている。そして、前記消しゴム３４を覆うようにしてノック部を構成する透明もしくは半透明な樹脂素材により形成されたノックカバー３５が、ノック棒４６の後端部外周面を覆うようにして着脱可能に取り付けられている。
なお、前記ノック棒４６における消しゴム３４の装着位置には、筆記芯の補給口４６ａが形成されている。
【０１０６】
前記したシャープペンシルの構成において、前記ノックカバー３５を例えば親指等により押し込むノック操作を行うと、ノック棒４６を介して芯ケース４を前方に押し出すように作用する。これにより、チャック６が前進して筆記芯を先端パイプ１１より繰り出すように作用する。そして前記ノック操作の解除によりノック棒４６は、チャックスプリング１３の作用により後退し、クリップ支持体３３の内面に形成された段部３３ｂによって係止される。
【０１０７】
図２５は、図２４に示すシャープペンシルにおいて用いられる回転カム２３の単体構成を、拡大して示したものであり、（Ａ）は正面図、（Ｂ）は断面図、（Ｃ）は斜視図で示している。この回転カム２３はすでに説明した図１６に示した第２の実施の形態において用いられる回転カムの構成とほぼ同様である。
すなわち、図２５に示した回転カム２３は、軸方向の中央部が径を太くした太径部になされ、その太径部から両側の回転軸２３ｃとして機能する小径部に亙って、円錐状に成形された上下の傾斜面Ｃｓが形成されている。
【０１０８】
そして、上下の傾斜面Ｃｓには、上側カム２３ａおよび下側カム２３ｂが形成されており、この上側カム２３ａおよび下側カム２３ｂのそれぞれは、前記傾斜面Ｃｓに対して多数の鋸歯状のカムが連続して円環状に形成されている。
なお、前記下側カム２３ｂに続く回転軸２３ｃの先端部は小径の嵌合部２３ｄを構成しており、この嵌合部２３ｄには図２４に示したとおり、スライダー９が装着される。
【０１０９】
図２６は、第１固定カム形成部材４１の単体構成を示したものであり、（Ａ）は正面図、（Ｂ）は断面図、（Ｃ）は斜視図で示している。この第１固定カム形成部材４１は、軸方向の前半部が若干外径を細くした小径部４１ａになされ、円筒状に構成されている。この小径部４１ａの内側面は、前記回転カム２３の軸受け部４１ｂを構成しており、小径部４１ａの先端部には、第１固定カム４１ｃが形成されている。
この第１固定カム４１ｃは、多数の鋸歯状のカムが円環状に連続して形成されており、この第１固定カム４１ｃのカム面は漏斗状に成形された傾斜面Ｆｕ上に形成されている。
【０１１０】
また、第１固定カム４１ｃが形成された一端部に対する他端部内には、アンダーカット部４１ｄが形成されており、このアンダーカット部４１ｄを利用して、図２４に示されているとおり、ストッパー４３が装着される。
加えて、第１固定カム形成部材４１には、軸方向の中央部から前記小径部４１ａに延設されて連結凸部４１ｅが形成されており、これは後述する第２固定カム形成部材４２に形成された連結凹部と接合して連結するために利用される。
【０１１１】
図２７は、第２固定カム形成部材４２の単体構成を示したものであり、（Ａ）は正面図、（Ｂ）は上面図、（Ｃ）は断面図で示している。この第２固定カム形成部材４２は円筒状に形成され、その前端部は若干外径を細くして雄ねじ４２ａが形成されている。この雄ねじ４２ａには図２４に示されているとおり、口先部材３が螺合されて取り付けられる。また、前記雄ねじ４２ａが形成された内周面は、前記回転カム２３の軸受け部４２ｂとして機能する。
【０１１２】
そして、前記軸受け部４２ｂから内径が拡大する部分を利用して、第２固定カム４２ｃが形成されている。この第２固定カム４２ｃは、多数の鋸歯状のカムが円環状に連続して形成されており、この第２固定カム４２ｃのカム面は漏斗状になされた傾斜面Ｆｕ上に形成されている。
また第２固定カム形成部材４２の後端部側には、円筒部の一部を切り欠く状態で、連結凹部４２ｄが形成されており、これは前記した第１固定カム形成部材４１の連結凸部４１ｄと嵌合して第１と第２の固定カム形成部材４１，４２を軸方向に連結するために利用される。
【０１１３】
以上説明した筆記芯の回転駆動機構２１によると、クッション動作により筆記芯が同一方向に徐々に回転駆動を受けることは、すでに説明した実施の形態と同様である。加えてこの実施の形態における回転駆動機構２１によると、回転カム２３における上側カム２３ａのカム面、および下側カム２３ｂのカム面は、それぞれ円錐状になされた傾斜面Ｃｓ上に形成されている。
また、回転カム２３の上下のカム面に軸方向で噛み合う第１固定カム４１ｃのカム面、および第２固定カム４２ｃのカム面は、それぞれ漏斗状になされた傾斜面Ｆｕ上に形成されている。
【０１１４】
したがって、回転カム２３は軸方向のいずれの方向においても、回転カム２３の軸芯が第１固定カム形成部材４１および第２固定カム形成部材４２の軸芯に一致した理想的な噛み合い状態が実現される。これにより、回転駆動機構２１のより円滑な回転駆動動作を保証することができる。
【０１１５】
図２８〜図３０は、この発明に係るシャープペンシルの第５の実施の形態を示したものである。図２８はシャープペンシルの全体構成を断面図で示したものであり、すでに説明した各部と同一の機能を果たす部分を同一符号で示している。したがってその詳細な説明は省略する。
この第５の実施の形態においては、回転駆動機構２１を構成する第１固定カムおよび第２固定カムは、軸筒１の前端部に配置された口先部材３内に形成され、上下のカム面を備えた回転カム２３が、前記口先部材３内に位置するスライダー９と一体で成形されている。
【０１１６】
図２８に示すように、このシャープペンシルは、チャック６と、その外側に配置されたチャックホルダ５１との間に複数のボールＢを収容してなるボールチャックが備えられている。
前記チャックホルダ５１は芯ケース４の前端部に接続されて、軸方向に移動可能に配置されており、このチャックホルダ５１はスプリング５２によって前方に向けて付勢されている。そして、チャックホルダ５１には、その先端部内壁面において前方に向かって広がるテーパー面５１ａが形成されており、このテーパー面５１ａに沿って前記ボールＢが転動できるように構成されている。
【０１１７】
このボールチャックは、筆記芯に筆記圧が加わった場合には、チャック６がボールＢと共にチャックホルダ５１のテーパー面に当接するために、筆記芯はチャック６によって保持される。しかし筆記芯に前方に引き出す力が働く場合には、チャック６とボールＢは、チャックホルダ５１のテーパー面に沿って前進するので、筆記芯にはチャック６による把持力が加わらない。
【０１１８】
したがって、ノック操作によって芯ケース４が前進した時には、チャックホルダ５１と共にチャック６が前進し、これに伴って筆記芯Ｌはスライダー９から繰り出される。そして、ノック操作が停止された場合には、クッションスプリング４４の作用によりチャック６は後退するものの、筆記芯Ｌは保持チャック１２によって保持されるため、筆記芯Ｌの後退は阻止される。したがって、前記したノック操作の繰り返しにより、筆記芯Ｌは前記スライダー９から順次繰り出されることになる。
【０１１９】
前記したとおり、この実施の形態に係る筆記芯の回転駆動機構２１は、口先部材３およびスライダー９で構成されている。
図２９は、スライダー９の単体構成を示したものであり、（Ａ）は正面図で、（Ｂ）は断面図で示している。このスライダー９には、すでに説明した回転カム２３が一体に形成されている。
【０１２０】
すなわち、スライダー９の後端部は太径部になされ、この太径部に回転カム２３が形成されている。前記太径部の軸方向の両端面は円錐状に成形されて上下の傾斜面Ｃｓが構成されている。そして、上下の傾斜面Ｃｓには、上側カム２３ａおよび下側カム２３ｂが形成されており、この上側カム２３ａおよび下側カム２３ｂのそれぞれは、前記傾斜面Ｃｓに対して多数の鋸歯状のカムが連続して円環状に形成されている。
【０１２１】
なお、前記スライダー９内には、円筒部９ａが同軸状に形成されており、スライダー９と円筒部９ａとの間においてクッションスプリング４４の受け部を構成している。そして、円筒部９ａ内には図２８に示したとおり、保持チャック１２が収容される。
【０１２２】
図３０は、口先部材３の単体構成を断面図で示したものである。この口先部材３は軸方向に段階的に内径が太く形成されており、その内部には図２９に示す回転カム２３が一体成形されたスライダー９が収容される。
すなわち、口先部材３における先端部の開口３ａには、前記したスライダー９の先端部が収容され、口先部材３の中央の空間３ｂ内には回転カム２３が回転可能にかつ軸方向に移動可能に収容される。また、口先部材３の後端部内面には雌ねじ３ｃが施されて、軸筒１の先端部に螺合されるように構成されている。
【０１２３】
前記口先部材３の中央部に形成された空間３ｂには、軸方向の両側の隅角部に漏斗状に成形された傾斜面Ｆｕが形成されている。そして漏斗状の各傾斜面Ｆｕには、多数の鋸歯状のカムが円環状に連続して形成されて第１固定カム３ｄと第２固定カム３ｅを構成している。すなわち、この実施の形態においては、口先部材３内に形成された漏斗状の各傾斜面Ｆｕが、第１固定カム形成部材および第２固定カム形成部材を兼ねている。
【０１２４】
斯くして、第５の実施の形態に係るシャープペンシルによると、筆記動作に伴う筆記圧を受けて、スライダー９とこれに一体で形成された回転カム２３が後退する。また筆記圧の解除により、スライダー９と回転カム２３は、クッションスプリング４４の作用により前進するクッション動作が伴われる。
このクッション動作により、すでに説明した作用により、スライダー９は回転駆動を受ける。そして、スライダー９に装着された保持チャック１２を介して筆記芯Ｌも同様に回転運動を受ける。
【０１２５】
この第５の実施の形態においても第４の実施の形態と同様に、回転カム２３における上側カム２３ａのカム面、および下側カム２３ｂのカム面は、それぞれ円錐状になされた傾斜面Ｃｓ上に形成されている。
また、回転カム２３の上下のカム面に軸方向で噛み合う第１固定カム３ｄのカム面、および第２固定カム３ｅのカム面は、それぞれ漏斗状になされた傾斜面Ｆｕ上に形成されている。
【０１２６】
したがって、スライダー９と一体の回転カム２３は、軸方向のいずれの方向においても、回転カム２３の軸芯が第１固定カム形成部材および第２固定カム形成部材として機能する前記口先部材３の軸芯に一致した理想的な噛み合い状態が実現される。これにより、回転駆動機構２１のより円滑な回転駆動動作を保証することができる。
【０１２７】
図３１〜図３４は、この発明に係るシャープペンシルの第６の実施の形態を示したものである。図３１はシャープペンシルの前半部を断面図で示したものであり、すでに説明した各部と同一の機能を果たす部分を同一符号で示している。したがって重複する説明は省略する。
この第６の実施の形態においては、回転駆動機構２１を構成する第１固定カムは、口先部材の後端部に取り付けられたストッパーに形成され、第２固定カムは、口先部材内に形成され、上下のカム面を備えた回転カムが、前記口先部材内に収容されている。
【０１２８】
この第６の実施の形態においては、図３１に示すように筆記芯Ｌを挿通させる先端ガイド部材として機能するスライダー９が、保持チャック１２と共に、口先部材３内に摺動可能に配置されている。そして、スライダー９はその先端部が口先部材３内に出没可能となるように構成されている。
なお、口先部材３からのスライダー９の出没可能な動作と、筆記芯の回転駆動機構２１との関係については、図３１に基づいて後述する。
【０１２９】
図３２は、図３１に示すシャープペンシルにおいて用いられる回転カム２３の単体構成を、拡大して示したものであり、（Ａ）は正面図、（Ｂ）は断面図、（Ｃ）は斜視図で示している。この回転カム２３はすでに説明した図１６および図２５に示した各回転カムの構成と同様である。したがって、同一の機能を果たす部分を同一符号で示している。
そして前記回転カム２３は、図３１に示すように締め具７およびチャック６を介して筆記芯ＬＩに連結され、回転駆動機構２１による回転駆動力が筆記芯ＬＩに伝達できるように構成されている。
【０１３０】
図３３は、口先部材３の単体構成を拡大断面図で示したものであり、この口先部材３は、前端部が円錐状に形成されて、前記スライダー９を出没可能に支持する開口３ｇが形成されている。また、口先部材３の軸方向の中央部外周面には軸筒１の前端部に螺合するための雄ねじ３ｈが施されており、後端部には円筒部の一部を切り欠く状態で、連結凹部３ｉが形成されている。なお前記連結凹部３ｉは、口先部材３の後端部に後述するストッパー４３を連結するために利用される。
【０１３１】
前記口先部材３に形成された軸孔は、前端部の開口３ｇから後端部に向かって内径が段階的に拡大されており、軸方向のほぼ中央部の内径が拡大する部分を利用して、第２固定カム３ｅが形成されている。
この第２固定カム３ｅは、多数の鋸歯状のカムが円環状に連続して形成されており、この第２固定カム３ｅのカム面は漏斗状になされた傾斜面Ｆｕ上に形成されている。
【０１３２】
図３４は、前記口先部材３の後端部に装着されるストッパー４３の単体構成を拡大して示したものであり、（Ａ）は正面図、（Ｂ）は断面図、（Ｃ）は斜視図で示している。
このストッパー４３ほぼ円筒状に形成され、その前端部には第１固定カム４３ａが形成されている。この第１固定カム４３ａは、多数の鋸歯状のカムが円環状に連続して形成されており、この第１固定カム４３ａのカム面は漏斗状に成形された傾斜面Ｆｕ上に形成されている。
【０１３３】
また、前記ストッパー４３には、軸方向の後端部に形成された大径部４３ｂに続いて、連結凸部４３ｃが前方に向かって形成されている。したがって、このストッパー４３を図３３に示した口先部材３の後端部に挿入することにより、ストッパー４３に形成された連結凸部４３ｃが、口先部材３に形成された前記連結凹部３ｉに連結され、ストッパー４３は口先部材３に取り付けられる。
なお、口先部材３にストッパー４３を取り付けるにあたっては、図３１に示されている回転カム２３、トルクキャンセラー２５、クッションスプリング４４等が軸方向に順次挿入された状態で組み付けられる。
【０１３４】
前記した第６の実施の形態に係るシャープペンシルにおいても、前記したクッション動作に伴い回転駆動機構２１を構成する回転カム２３が回転し、筆記芯Ｌは回転駆動を受ける点において、すでに説明した実施の形態と同一である。
加えて、第４および第５の実施の形態と同様に、回転カム２３における上側カム２３ａのカム面、および下側カム２３ｂのカム面は、それぞれ円錐状になされた傾斜面Ｃｓ上に形成されている。また、回転カム２３の上下のカム面に軸方向で噛み合う第１固定カム４３ａのカム面、および第２固定カム３ｅのカム面は、それぞれ漏斗状になされた傾斜面Ｆｕ上に形成されている。
【０１３５】
したがって、回転カム２３の軸芯が、前記ストッパー４３の軸芯、および口先部材３の軸芯に一致した理想的な噛み合い状態が実現される。これにより、回転駆動機構２１のより円滑な回転駆動動作を保証することができる。
【０１３６】
一方、図３１〜図３４に示した第６の実施の形態においては、前記したとおりスライダー９が保持チャック１２と共に、口先部材３内に摺動可能に配置されている。そしてスライダー９はその先端部が口先部材３内に出没可能となるように構成されている。
図３１（Ａ）は、スライダー９の先端部を所定の圧力で押圧することにより、スライダー９が筆記芯Ｌと共に後退した状態を示している。
【０１３７】
この図３１（Ａ）の状態において、軸筒１の後端部における図示せぬノックカバーをノック操作することで、芯ケース４が前進し、これに伴い保持チャック１２、スライダー９および筆記芯Ｌが前進する。
これによりスライダー９が口先部材３から突出すると共に、筆記芯Ｌはスライダー９の先端部から突出し、図３１（Ｂ）に示す状態になる。この時、筆記芯Ｌは回転駆動機構２１により一方向に回転駆動を受ける。
【０１３８】
図３１（Ｂ）に示す状態で筆記を続けることで、すでに説明したクッション動作に伴い筆記芯Ｌは回転駆動機構２１による回転駆動動作を受ける。
そして、筆記芯Ｌの摩耗により筆記芯Ｌの先端部が、スライダー９の先端部に一致する図３１（Ｃ）に示す状態に達した場合には、スライダー９の先端部にクッション圧（押圧）が加わり、クッションスプリング４４の付勢力により筆記芯Ｌは回転しながら、スライダー９の先端部から繰り出されるように作用する。したがって、図３１に示すシャープペンシルによると、筆記を中断することなく書き続けることができる。
【０１３９】
以上説明した第４〜第６の実施の形態においては、第１固定カムおよび第２固定カムのカム面は、いずれも漏斗状に成形した傾斜面Ｆｕ上に形成され、回転カムの上下のカム面は、いずれも円錐状に成形した傾斜面Ｃｓ上に形成されている。
この構成によるとすでに説明したとおり、回転カムは移動方向の双方において、第１と第２固定カムの軸芯に一致した理想的な噛み合い状態を実現することができる。
しかしながら、固定カムの一方が漏斗状に成形した傾斜面上に形成され、この固定カムに噛み合う回転カムのカム面が円錐状に成形した傾斜面上に形成された構成であっても、軸方向の一方において理想的な噛み合い状態を実現することができる。したがって、この種のシャープペンシルにおいては、後者の構成も好適に採用することができる。
【符号の説明】
【０１４０】
１      軸筒
３      口先部材
３ｄ    第１固定カム
３ｅ    第２固定カム
４      芯ケース
６      チャック
７      締め具
９      スライダー
１０    先端パイプ
１２    保持チャック
１３    チャックスプリング
２１    回転駆動機構
２２    ホルダー部材
２２ａ  円筒部
２２ｂ  弾性部材
２２ｃ  第１固定カム
２２ｄ  第２固定カム
２２ｅ  柱状体
２２ｆ  リング部材
２２ｇ  傾斜面
２２ｈ  カム面
２２ｉ  カム面
２２ｊ  稜線
２２ｍ  当接部
２２ｎ  テーパー面
２３    回転カム
２３ａ  上側カム
２３ｂ  下側カム
２３ｃ  回転軸
２４    クッション部材
２５    滑り部材（トルクキャンセラー）
３１    消しゴム受け台
３１ａ  アンダーカット部
３１ｂ  第１スプリング体
３１ｃ  第２スプリング体
３３    クリップ支持体
３３ａ  クリップ
３４    消しゴム
３５    ノックカバー
４１    第１固定カム形成部材
４１ｃ  第１固定カム
４２    第２固定カム形成部材
４２ｃ  第２固定カム
４３    ストッパー
４３ａ  第１固定カム
４４    クッションスプリング
４６    ノック棒
４７    軸スプリング
５１    チャックホルダ
５２    スプリング
Ｂ      ボール
Ｃｓ    円錐状傾斜面
Ｆｕ    漏斗状傾斜面
Ｌ      筆記芯
【図１】
2014166752.tif 000003
【図２】
2014166752.tif 000004
【図３】
2014166752.tif 000005
【図４】
2014166752.tif 000006
【図５】
2014166752.tif 000007
【図６】
2014166752.tif 000008
【図７】
2014166752.tif 000009
【図８】
2014166752.tif 000010
【図９】
2014166752.tif 000011
【図１０】
2014166752.tif 000012
【図１１】
2014166752.tif 000013
【図１２】
2014166752.tif 000014
【図１３】
2014166752.tif 000015
【図１４】
2014166752.tif 000016
【図１５】
2014166752.tif 000017
【図１６】
2014166752.tif 000018
【図１７】
2014166752.tif 000019
【図１８】
2014166752.tif 000020
【図１９】
2014166752.tif 000021
【図２０】
2014166752.tif 000022
【図２１】
2014166752.tif 000023
【図２２】
2014166752.tif 000024
【図２３】
2014166752.tif 000025
【図２４】
2014166752.tif 000026
【図２５】
2014166752.tif 000027
【図２６】
2014166752.tif 000028
【図２７】
2014166752.tif 000029
【図２８】
2014166752.tif 000030
【図２９】
2014166752.tif 000031
【図３０】
2014166752.tif 000032
【図３１】
2014166752.tif 000033
【図３２】
2014166752.tif 000034
【図３３】
2014166752.tif 000035
【図３４】
2014166752.tif 000036